(57)【要約】【課題】防災受信盤と電流監視盤とを一体化して、効率よく操作・メンテナンスすることが可能な防災受信盤を提供する。【解決手段】トンネル内に設置される端末機器と接続され情報の送受信等を行う監視制御部２１を有し、端末機器の電流値を検出する電流監視部３２と、電流監視部３２の監視状態を表示する電流監視表示部３３とを有する電流監視装置３０をさらに有し、監視制御部２１と電流監視装置３０は、筐体本体４１に対し開閉自在な前面扉４２を有する筐体４０内に納められ、前面扉４２の前面側には、防災操作表示部２３が所定高さ範囲内に配置され、筐体本体４１内に設けられる電流監視装置３０の電流監視表示部３３は、前面扉４２が開状態で筐体４０の前面側に露出すると共に、防災操作表示部２３の高さ範囲内に配置される。【選択図】図６
2018049426.tif 000002
【特許請求の範囲】
【請求項１】
トンネル内に設置される端末機器と伝送線で接続される防災受信盤であって、
前記伝送線を介して前記端末機器と情報の送受信及び所定の制御を行う監視制御部を有し、前記端末機器の電流値を検出する電流監視部と、該電流監視部の監視状態を表示する電流監視表示部とを有する電流監視装置をさらに有し、
前記監視制御部と電流監視装置は、筐体本体に対し開閉自在な前面扉を有する筐体内に納められ、
前記前面扉の前面側には、前記監視制御部に接続される防災操作表示部が所定高さ範囲内に配置され、
前記筐体本体内には前記電流監視装置の電流監視表示部が設けられ、該電流監視表示部は、前記前面扉が開状態で前記筐体の前面側に露出すると共に、前記防災操作表示部の高さ範囲内に配置されることを特徴とする防災受信盤。
【請求項２】
前記防災操作表示部には、前記電流監視装置が有する第２表示部が配置されることを特徴とする請求項１記載の防災受信盤。
【請求項３】
前記電流監視表示部はタッチパネルからなることを特徴とする請求項１または２記載の防災受信盤。
【請求項４】
前記筐体内には音響発生部が設けられ、該音響発生部は、前記監視制御部からの指令及び前記電流監視部からの指令に基づき音響を発生することを特徴とする請求項１〜３のいずれか１項に記載の防災受信盤。
【請求項５】
前記電流監視表示部は取付板を介して前記筐体に設置され、前記取付板と共に前記電流監視表示部を交換可能としたことを特徴とする請求項１〜４のいずれか１項に記載の防災受信盤。
【請求項６】
前記前面扉の前面側には、前記防災操作表示部の高さ範囲内に通話部を有することを特徴とする請求項１〜５のいずれか１項に記載の防災受信盤。
【請求項７】
前記前面扉の防災操作表示部は操作部と表示部とを有し、
前記操作部と表示部の少なくとも一方は、前記前面扉に対して回転可能な軸部を有し、該軸部の回転により前記操作部と表示部の少なくとも一方は前記前面扉の裏面側に露出するように反転することを特徴とする請求項１〜６のいずれか１項に記載の防災受信盤。
【発明の詳細な説明】
【技術分野】
【０００１】
本発明は、トンネルに設置される消火栓等の端末機器からの信号を受信すると共に、各端末機器の障害監視を行う防災受信盤に関する。
【背景技術】
【０００２】
自動車専用道等のトンネルには、トンネル内で発生する火災等に備える各種機器が設置される。このような機器としては、火災の通報を行う火災通報装置、非常電話、消火栓装置などが挙げられる。これらを端末機器として、監視及び制御するため、防災受信盤が設けられる。防災受信盤は、複数の端末機器を監視、制御するために、伝送線にて各端末機器と接続されている。
【０００３】
このようにトンネル内の端末機器と接続される防災受信盤としては、例えば特許文献１に挙げるようなものがある。
【先行技術文献】
【特許文献】
【０００４】
【特許文献１】特開２０１６−１０３９５９号公報
【発明の概要】
【発明が解決しようとする課題】
【０００５】
トンネル内の端末機器は、トンネルの長さ方向に沿って複数が設けられており、それぞれが火災等の異常発生時には確実に動作する必要がある。このため、各端末機器が正常に動作する状態にあるかを監視しておく必要がある。端末機器の動作状態の監視方法として、各端末機器に流れる電流を定期的に測定し、その電流値が所定の範囲内にあるか否かを判別する手法が知られている。
【０００６】
外線の経年変化を監視する電流監視システムは、その性質上、防災監視システムとは別の機能として構成される。このため、電流監視システム用に、各端末機器と接続される電流監視盤が、防災受信盤とは別に設けられるのが通常である。
【０００７】
しかし、防災受信盤とは別の場所に電流監視盤が設けられていると、各盤の操作やメンテナンスの際などに、それぞれの場所で作業を行う必要があり、作業効率が悪いという問題がある。また、防災受信盤には、トンネル内の消火栓と通話できる通話部が設けられているが、電流監視盤が防災受信盤から離れていると、電流監視盤で認識された端末機器の異常等について、直ちに電話連絡を行うことが困難であった。
【０００８】
本発明は前記課題を鑑みてなされたものであり、防災受信盤と電流監視盤とを一体化して、効率よく操作・メンテナンスすることが可能な防災受信盤を提供することを目的とする。
【課題を解決するための手段】
【０００９】
前記課題を解決するため、請求項１の発明に係る防災受信盤は、トンネル内に設置される端末機器と伝送線で接続される防災受信盤であって、
前記伝送線を介して前記端末機器と情報の送受信及び所定の制御を行う監視制御部を有し、
前記端末機器の電流値を検出する電流監視部と、該電流監視部の監視状態を表示する電流監視表示部とを有する電流監視装置をさらに有し、
前記監視制御部と電流監視装置は、筐体本体に対し開閉自在な前面扉を有する筐体内に納められ、
前記前面扉の前面側には、前記監視制御部に接続される防災操作表示部が所定高さ範囲内に配置され、
前記筐体本体内には前記電流監視装置の電流監視表示部が設けられ、該電流監視表示部は、前記前面扉が開状態で前記筐体の前面側に露出すると共に、前記防災操作表示部の高さ範囲内に配置されることを特徴として構成されている。
【００１０】
請求項１に係る発明によれば、前面扉の前面側の防災操作表示部と電流監視表示部とが同等の高さ位置に配置され、両者を操作及び参照しやすくできる。
【００１１】
また、請求項２の発明に係る防災受信盤は、前記防災操作表示部には、前記電流監視装置が有する第２表示部が配置されることを特徴として構成されている。
【００１２】
請求項２に係る発明によれば、前面扉を開けなくても、電流監視における異常発生を認識できる。
【００１３】
さらに、請求項３の発明に係る防災受信盤は、前記電流監視表示部はタッチパネルからなることを特徴として構成されている。
【００１４】
請求項３に係る発明によれば、電流監視における操作性を向上させることができる。
【００１５】
さらにまた、請求項４の発明に係る防災受信盤は、前記筐体内には音響発生部が設けられ、該音響発生部は、前記監視制御部からの指令及び前記電流監視部からの指令に基づき音響を発生することを特徴として構成されている。
【００１６】
請求項４に係る発明によれば、１つの音響発生部で防災監視における警報と電流監視における警報を発することができ、部品点数を削減できる。
【００１７】
そして、請求項５の発明に係る防災受信盤は、前記電流監視表示部は取付板を介して前記筐体に設置され、前記取付板と共に前記電流監視表示部を交換可能としたことを特徴として構成されている。
【００１８】
請求項５に係る発明によれば、電流監視表示部だけを防災受信盤から取り外して交換でき、メンテナンス性を良好にすることができる。
【００１９】
また、請求項６の発明に係る防災受信盤は、前記前面扉の前面側には、前記防災操作表示部の高さ範囲内に通話部を有することを特徴として構成されている。
【００２０】
請求項６に係る発明によれば、通話部により通話を行いながら、電流監視表示部を容易に確認、操作することができる。
【００２１】
さらに、請求項７の発明に係る防災受信盤は、前記前面扉の防災操作表示部は操作部と表示部とを有し、
前記操作部と表示部の少なくとも一方は、前記前面扉に対して回転可能な軸部を有し、該軸部の回転により前記操作部と表示部の少なくとも一方は前記前面扉の裏面側に露出するように反転することを特徴として構成されている。
【００２２】
請求項７に係る発明によれば、操作部と表示部の少なくとも一方について、前面扉の裏面側に反転露出させることができるので、前面扉を開いた状態で筐体内部を向いている作業者は、自分と反対側を向いている操作部と表示部の少なくとも一方について、自分の方に向けることができるので、作業性を向上させることができる。
【発明の効果】
【００２３】
本発明に係る防災受信盤によれば、防災受信盤と電流監視盤とが一体化されて両者の連携を図ることができると共に、電流監視表示部と防災操作表示部とを相互に参照しつつ効率よく操作・メンテナンスすることができる。
【図面の簡単な説明】
【００２４】
【図１】本実施形態の防災受信盤を有するトンネル防災システムの概要図である。
【図２】防災監視装置のブロック図である。
【図３】電流監視装置のブロック図である。
【図４】防災受信盤の正面図である。
【図５】防災受信盤の側面図である。
【図６】前面扉を開状態とした筐体の正面図である。
【図７】電流値の自動測定の結果を表示した状態のタッチパネルの画面表示である。
【図８】異常履歴を表示した状態のタッチパネルの画面表示である。
【図９】前面扉を開状態とし集合表示灯及び操作部を軸部によって反転させた筐体の正面図である。
【発明を実施するための形態】
【００２５】
本発明の実施形態について、図面に沿って詳細に説明する。図１には、本実施形態の防災受信盤１を有するトンネル防災システムの概要図を示している。この図に示すように、トンネル防災システムは、自動車専用道のトンネルに適用されるものである。トンネルは、上り線トンネルＡと下り線トンネルＢとからなる。
【００２６】
上り線トンネルＡと下り線トンネルＢの内部壁面には、所定間隔毎に消火栓１０が配置されている。消火栓１０は、消火栓扉の内部にノズル付ホースを収納しており、火災時には消火栓扉を開いてノズル付ホースを引き出し、レバーを開操作することで消火用水が放水されると共に、消火栓弁開閉検出スイッチ１１がオンになることで、消火ポンプ設備４が起動する。また、消火栓１０は、火災発生を通報できる発信機１２も有している。トンネル内の非常用設備として、消火栓１０以外にも、火災検知器や自動弁装置、ダクト内温度検知器等が設けられるが、図示を省略している。
【００２７】
消火栓弁開閉検出スイッチ１１と発信機１２は、伝送線２により防災受信盤１に接続されている。伝送線２は、端末機器である消火栓弁開閉検出スイッチ１１及び発信機１２と防災受信盤１との間で、火災発生時の情報伝達を行う。防災受信盤１からは、トンネルの長手方向に分割した所定の区画毎にＰ型の伝送線２−１〜２−ｎが引き出され、区画単位に設けられた複数の消火栓弁開閉検出スイッチ１１及び発信機１２が接続されている。なお、伝送線２−１〜２−ｎは、区別する必要がない場合は、単に伝送線２という。
【００２８】
防災受信盤１は、消火栓１０に水を供給する消火ポンプ設備４と接続されている。いずれかの消火栓１０において、消火栓弁開閉検出スイッチ１１がオンになった場合には、伝送線２を介して防災受信盤１にその情報が送信され、該情報を受信した防災受信盤１は、消火ポンプ設備４を起動させる。
【００２９】
また、防災受信盤１は、外部との通信線５にも接続されている。通信線５は、遠隔地に設けられる監視室等と接続されていて、火災発生等の情報の送受信や、通話などに用いられる。
【００３０】
本実施形態の防災受信盤１は、防災受信機能を有する防災監視装置２０と、電流監視機能を有する電流監視装置３０の両方を有している。これらは、互いに独立した機能を有するが、一部では連係している。図２には防災監視装置２０のブロック図を、図３には電流監視装置３０のブロック図を、それぞれ示している。図２に示すように、防災監視装置２０は、端末機器との情報の送受信及び所定の制御を行う監視制御部２１を有し、監視制御部２１は、伝送部２２により伝送線２を介して端末機器と通信を行うことができる。
【００３１】
防災監視装置２０は、それぞれ監視制御部２１と接続された防災操作表示部２３と、音響発生部２４と、通話部２５と、通信部２６と、印字部２７とを有している。防災操作表示部２３は、防災監視装置２０における端末機器の監視状態を表示すると共に、端末機器の監視に関する操作を行うことができる。通話部２５は、トンネル内の非常電話との通話を行うことができる。通信部２６は、外部との通信を行うことができ、通信線５が接続されている。印字部２７は、防災監視装置２０の動作記録等を紙に印字して出力することができる。なお、印字部２７は必ずしも設けられていなくてもよい。
【００３２】
監視制御部２１には、電流監視装置３０との連携を行うため、電流監視装置３０に設けられる電流監視制御部３１と電流監視部３２が接続されている。
【００３３】
監視制御部２１は、伝送線２で接続された端末機器のいずれかから、火災発生を知らせる信号を受信した場合には、警報動作を行う。警報動作において監視制御部２１は、防災操作表示部２３に火災発生を表示させると共に、音響発生部２４に警報を発生させる。また、監視制御部２１は、通信部２６に通信線５を介して外部に火災発生の信号を送信させる。
【００３４】
図３に示すように、電流監視装置３０は、電流測定時に伝送線２に接続され、各端末機器の電流値を測定する電流監視部３２と、電流監視部３２での電流監視制御及び異常発生時等の制御を行う電流監視制御部３１とを有している。電流監視制御部３１には、電流監視部３２における監視状態を表示する電流監視表示部３３と、電流監視に関する操作を行う操作部３４と、電流監視の状態を表示する第２表示部３５と、電流監視結果の履歴を記憶する記憶部３６とが接続されている。また、前述のように、電流監視制御部３１と電流監視部３２は、防災監視装置２０の監視制御部２１と接続されている。
【００３５】
電流監視制御部３１は、伝送線２が接続された端末機器に対して、定期的、あるいは操作部３４で支持されたタイミングで、電流監視部３２に電流値の測定を行わせる。電流監視部３２で測定された各端末機器の電流値は、記憶部３６に記憶される。測定の結果、端末機器のいずれかにおいて電流値が所定範囲内になかった場合、電流監視制御部３１は、防災受信盤１の外側に配置される第２表示部３５に異常発生の表示をさせる。また、防災受信盤１の内側に配置される電流監視表示部３３は、防災受信盤１が開かれた場合にオンとなり、電流値測定の履歴や異常発生などの情報を表示する。
【００３６】
図４には防災受信盤１の正面図を、図５には防災受信盤１の側面図を、それぞれ示している。防災受信盤１は、略箱状の筐体４０を有し、その内外に防災監視装置２０と電流監視装置３０の各構成が配置される。筐体４０は、筐体本体４１の前面側に開閉自在な前面扉４２を、後面側に開閉自在な後面扉４３を、それぞれ有して構成されている。
【００３７】
前面扉４２の前面４２ａには、上部にグラフィックパネル５０が、中央上段に集合表示灯５１が、中央下段に操作部５２が、それぞれ配置されている。グラフィックパネル５０は、各端末機器における警報の状態を表示するものであって、端末機器毎にＬＥＤが設けられていて、警報を発している端末機器に対応するＬＥＤが点灯する。図４ではグラフィックパネル５０の表示については省略している。グラフィックパネル５０は、図２に示す防災監視装置２０における防災操作表示部に相当する。なお、グラフィックパネル５０は、ＬＥＤが配置されたものに限られず、ＬＣＤであってもよい。
【００３８】
集合表示灯５１は、複数の表示灯がマトリックス状に配置されたものであり、防災受信盤１の電源のオンオフ状態や、電流監視装置３０における電流監視測定状態、通話部２５の使用状態、防災受信盤１の障害発生状態、端末機器における電流値の異常状態などを表示することができる。集合表示灯５１の表示は、防災監視装置２０に関するものと電流監視装置３０に関するものの両方を含んでいる。すなわち、集合表示灯５１は、図２に示す防災監視装置２０における防災操作表示部２３に相当するが、その中には図３に示す電流監視装置３０における第２表示部３５も含まれている。
【００３９】
操作部５２は、監視するトンネル毎に機器の試験を行うためのスイッチや、通話部２５及びこの通話部２５の操作を行うためのスイッチなどが配置されている。
【００４０】
前面扉４２の下部には、防災監視装置２０の音響発生部２４から発する音を伝えるための音響孔５４が形成されている。また、前面扉４２には、操作部５２の側方に、前面扉４２を開閉するのに用いられるハンドル４２ｃが設けられている。
【００４１】
図５に示すように、筐体４０の内部には、防災監視装置２０や電流監視装置３０の部品を配置するための中間板６０が設けられ、その中央領域の前面側には土台部６３が設けられ、土台部６３の前面には、タッチパネル６６が設けられる。タッチパネル６６は、画面表示と共にタッチ操作が可能であり、電流監視装置３０の電流監視表示部３３と操作部３４に相当する。
【００４２】
図６には、前面扉４２を開状態とした筐体４０の正面図を示している。筐体４０の内部には、前述のタッチパネル６６が前面側に露出するように配置されている他、防災監視装置２０を構成する部品である防災監視構成部６１と、電流監視装置３０を構成する部品である電流監視構成部６２が配置されている。
【００４３】
タッチパネル６６は、中央に開口を有する取付板６５に取付けられている。取付板６５は、一側部にヒンジ部６４ａを有しており、ヒンジ部６４ａよりもタッチパネル６６側の部分は、前後方向に開閉自在な開閉部６４となっている。なお、開閉部６４は防災受信盤１の使用時においては開閉不能に固定される。タッチパネル６６が開口を有する取付板６５に取付けられていることで、タッチパネル６６の交換を容易にできる。特に、タッチパネル６６の仕様が変わっても、画面サイズが一致すればタッチパネル６６だけを交換できるので、将来的なメンテナンス性を良好にすることができる。
【００４４】
また、タッチパネル６６は、ヒンジ部６１を介して開閉動作可能な開閉部６４に設けられているので、防災受信盤１の設置時やタッチパネル６６の交換時には、開閉部６４を開くことで、タッチパネル６６に対する配線作業を容易にすることができる。
【００４５】
電流監視表示部３３及び操作部３４であるタッチパネル６６は、筐体４０の高さ方向において、前面扉４２に設けられる集合表示灯５１及び操作部５２の高さ範囲内に納まる位置に配置されている。すなわち、タッチパネル６６は、通話部２５を含む防災監視装置２０の防災操作表示部２３の高さ範囲内に配置されている。防災操作表示部２３は、筐体４０において、０．８〜１．５ｍの高さ範囲に設けられている。したがって、タッチパネル６６も、この高さ範囲内に配置される。
【００４６】
メンテナンス等のために筐体４０の前面扉４２を開いた場合には、タッチパネル６６に情報が表示されると共に、タッチパネル６６をタッチ操作することにより、各種操作を行うことができる。また、タッチパネル６６での情報確認及び操作の際には、前面扉４２の前面４２ａに配置される防災操作表示部２３の表示も併せて確認する場合がある。本実施形態では、タッチパネル６６が、筐体４０の前面扉４２を開いた状態で前面側に露出すると共に、防災操作表示部２３の高さ範囲内に配置されているので、前面扉４２の前面４２ａ側も参照しつつ、タッチパネル６６の画面表示を見て操作することが容易な配置関係となっている。特に、通話部２５が前面扉４２の前面４２ａ側の操作部３４に含まれているので、タッチパネル６６を操作しながら通話部２５での通話を行うことができ、メンテナンスの作業効率を向上させることができる。
【００４７】
次に、タッチパネル６６の画面表示について説明する。図７には、電流値の自動測定の結果を表示した状態のタッチパネル６６の画面表示を示している。画面の下部には画面切り替えメニュー７０が表示されている。タッチパネル６６で表示される画面の種類は複数あり、画面切り替えメニュー７０のタッチ操作により、画面を切り替えることができる。図７では画面切り替えメニュー７０のうち、左端の「自動測定」が選択されている。
【００４８】
画面の右側部には、自動測定に関する操作を行うボタンが配置された操作メニュー７２が表示されている。画面の上部には、画面のタイトルが表示されるタイトル部７１を有している。タイトル部７１と画面切り替えメニュー７０の配置は、タッチパネル６６に表示される各画面で共通している。
【００４９】
自動測定の画面の中央部は、各端末機器において測定された電流値と、各端末機器に設定された電流値の下限値及び上限値が一覧で表示される自動測定結果表示部７３である。自動測定結果表示部７３では、端末機器毎に固有の番号が割り振られており、測定中の端末機器の番号の欄は、背景色が変化する。これにより、現在測定中の端末機器がどれであるかを視認できる。図７では、Ｎｏ．００３の欄の背景色が変化しており、当該端末機器が測定中であることが分かる。また、測定の結果、電流値が下限値と上限値の間になかった端末機器、すなわち、異常が検出された端末機器については、当該測定値の欄の背景色が変化する。これにより、異常のあった測定値を素早く発見できる。図７では、Ｎｏ．００２の測定値が、１．８５であって、上限値である１．００よりも大きいので、当該欄の背景色が変化している。
【００５０】
図８には、異常履歴を表示した状態のタッチパネル６６の画面表示を示している。画面の下部には画面切り替えメニュー７０が表示されている。画面の右側部には、ページ切り替えのボタンや、異常履歴の情報に対する操作ボタン、及び履歴情報の保存のボタンなどが配置された操作メニュー７４が表示されている。画面の上部には、画面のタイトルが表示されるタイトル部７１を有している。
【００５１】
異常履歴の画面の中央部は、これまで測定された端末機器の電流値のうち、異常が検出された履歴のみを、異常の発生日時が新しい履歴から順に表示する異常履歴表示部７５である。異常履歴表示部７５に表示される情報は、異常の発生日時と異常の内容、及び異常の復旧が確認された日時である。
【００５２】
異常履歴表示部７５において異常履歴は、色分けされて表示されている。色分けは、背景色を変化させることによってなされている。検出された異常のうち、重度のものについては背景色が赤色に、中度のものについては背景色が黄色に、軽度のものについては背景色が変化なし（白色または水色）とされている。なお、図８では、各欄の網掛けの有無及び種類によって、背景色の違いを表現している。色分けはこの例に限られず、他の色を用いてもよい。異常履歴の背景が、異常の程度によって色分けされていることにより、端末機器の異常発生を直感的に把握することができ、メンテナンスの際の作業効率を向上させることができる。
【００５３】
次に、異なる構成の前面扉４２を有する防災受信盤について説明する。図９には、第２の形態の防災受信盤１において、前面扉４２を開状態とし集合表示灯５１及び操作部５２を軸部６８によって反転させた筐体４０の正面図を示している。前面扉４２に設けられる集合表示灯５１及び操作部５２の部分には、上下中央部に軸部６８を有している軸部６８は、集合表示灯５１及び操作部５２の部分を前面扉４２に対して回転可能に支持している。軸部６８により集合表示灯５１及び操作部５２の部分を前面扉４２に対して回転させることで、集合表示灯５１及び操作部５２の部分を、前面扉４２の裏面側に露出するように反転させることができる。これにより、図９に示すように、前面扉４２を開いた状態で、作業者が筐体４０の内部を向いていても、集合表示灯５１や操作部５２を作業者の側に向けることができる。このため、前面扉４２を開いた状態において、作業者が集合表示灯５１を確認したり、操作部５２を操作する際に、前面扉４２の表側に回り込む必要がなく、作業性を向上させることができる。また、グラフィックパネル５０についても、軸部を設けて反転可能としてもよい。
【００５４】
図９では、集合表示灯５１及び操作部５２の部分の上下中央部に軸部６８を設けているが、軸部６８を左右いずれかの端部に配置し、集合表示灯５１及び操作部５２の部分を扉状に開閉させて反転できるようにしてもよい。また、軸部６８を集合表示灯５１及び操作部５２の部分の左右に対向するように設け、集合表示灯５１及び操作部５２の部分が縦方向に反転できるようにしてもよい。
【００５５】
以上、本発明の実施形態について説明したが、本発明の適用は本実施形態には限られず、その技術的思想の範囲内において様々に適用されうる。
【符号の説明】
【００５６】
Ａ    上り線トンネル
Ｂ    下り線トンネル
Ｃ    避難連絡抗
１    防災受信盤
２    伝送線
４    消火ポンプ設備
５    通信線
１０    消火栓
１１    消火栓弁開閉検出スイッチ
１２    発信機
２０    防災監視装置
２１    監視制御部
２２    伝送部
２３    防災操作表示部
２４    音響発生部
２５    通話部
２６    通信部
２７    印字部
３０    電流監視装置
３１    電流監視制御部
３２    電流監視部
３３    電流監視表示部
３４    操作部
３５    第２表示部
３６    記憶部
４０    筐体
４１    前面扉
４２    後面扉
５０    グラフィックパネル
５１    集合表示灯
５２    操作部
５３    通話部
５４    音響孔
６０    中間板
６１    防災監視構成部
６２    電流監視構成部
６３    土台部
６４    開閉部
６５    取付板
６６    タッチパネル
【図１】
2018049426.tif 000003
【図２】
2018049426.tif 000004
【図３】
2018049426.tif 000005
【図４】
2018049426.tif 000006
【図５】
2018049426.tif 000007
【図６】
2018049426.tif 000008
【図７】
2018049426.tif 000009
【図８】
2018049426.tif 000010
【図９】
2018049426.tif 000011